(57)【要約】      （修正有）【課題】ランドセルに取付ける背負いベルトの製造が容易で、安価な背負いベルトを提供する。【解決手段】発泡樹脂材からなる幅広に形成した肩当部１７の両側縁部に同一素材でクッション機能を有する保護部１８を膨出させて一体に形成したベルト芯材１６の下面に、クッション機能を有した発泡樹脂材により形成したパッド部２０を接着し、該パッド部と、前記ベルト芯材１６を柔軟な皮革素材からなる保護カバー材２２で覆って背負片１５を形成し、該背負片と長さ調節をする調節片を一体に接着した上面に硬質な皮革素材からなる表面素材２４を重合すると共に、前記背負片１５の保護部１８を除く表面素材２４の周縁部分を縫着して一体に形成してある。【選択図】図２
0003138960.tif 000002
【実用新案登録請求の範囲】
【請求項１】
幅広で帯状に形成したベルト芯材（１６）の下面にクッション性を有するに発泡樹脂材により形成したパッド部（２０）を接着し、該パッド部と前記ベルト芯材（１６）とを柔軟な皮革素材により形成した保護カバー材（２２）で覆って形成した背負片（１５）と、薄厚で帯状に形成した発泡樹脂材からなる芯部を化粧用皮革材からなるカバー層で覆って形成した調節片（３０）とを互いに接合し、該調節片と前記背負片（１５）の上面に、硬質な皮革素材からなる帯状の表面素材（２４）を重合させると共に、該表面素材の周縁部分を縫着して一体に形成したランドセル用背負ベルト（１３）に於いて、
前記ベルト芯材（１６）が、発泡樹脂材からなる幅広で帯状に形成した肩当部（１７）の両側縁に同一素材でクッション機能を有する保護部（１８）を一体に形成したことを特徴とするランドセル用背負いベルト。
【請求項２】
ベルト芯材（３６）が、全体を緩やかに湾曲させた幅広で帯状に形成した肩当部（３７）の両側縁に、クッション機能を有する保護部（３８）の上端を前記肩当部（３７）の上面より上方に膨出させて一体に形成すると共に、該保護部の底面と前記肩当部（３７）の底面とを同一平面にした平坦部（３９）を設けて形成したことを特徴とする請求項１記載のランドセル用背負いベルト。
【請求項３】
ベルト芯材（４６）が、全体を緩やかで水平方向に湾曲させた幅広で帯状に形成した肩当部（４７）の両側縁に、クッション機能を有する保護部（４８）を該肩当部の上面より高く膨出させて一体に形成し、さらに前記肩当部（４７）の上面両側に凹状のネック部（５０）を介して肉厚な補強部（４９）を長手方向へ一体に形成すると共に、前記肩当部（４７）の底面と両側縁に設けた保護部（４８）の下面とを同一平面にした平坦部（５１）を設けて形成したことを特徴とする請求項１記載のランドセル用背負いベルト。
【請求項４】
前記背負片（１５）の両側縁に形成した保護部（１８、３８、４８）は、該背負片の上面に重合する表面素材（２４）の両端外側に位置させ、該表面素材の周縁と前記背負片（１５）と調節片（３０）とを縫着して一体に形成したことを特徴とする請求項１ないし３のいずれか１記載のランドセル用背負いベルト。
【請求項５】
全体を緩やかで水平方向に湾曲させた幅広で帯状に形成した肩当部（４７）の両側縁に、該肩当部の上面より高くして断面円柱状に形成したクッション機能を有する保護部（４８）と、該肩当部の上面両側に設けた凹状のネック部（５０）を介して長手方向中央に肉厚な補強部（４９）をそれぞれ一体に形成すると共に、前記肩当部（４７）の底面と両側縁に設けた保護部（４８）の下面とを同一平面の平坦部（５１）を設けて形成した発泡樹脂材からなるベルト芯材（４６）の前記平坦部（５１）に、同じく発泡樹脂材により帯状に形成したクッション機能を有したパッド部（２０）を接着し、該パッド部（２０）と、前記ベルト芯材（４６）を柔軟な皮革素材からなる保護カバー材（２２）で覆って形成した背負片（１５）の下方と、背負ベルトの長さを調節する複数の穴（３３）を任意間隔で設けた調節片（３０）の上端を接着し、該調節片と前記背負片（１５）の保護部（４８）を除く上面全体に硬質な皮革素材からなる帯状の表面素材（２４）を重合し、該表面素材の周縁と背負片（１５）と調節片（３０）をそれぞれ縫着して一体に形成したことを特徴とするランドセル用背負いベルト。
【考案の詳細な説明】
【技術分野】
【０００１】
本考案は、学童が使用するランドセル用背負いベルトの改良に関する。
【背景技術】
【０００２】
従来、小学生が使用するランドセルは、教科書や副教材、さらには体操具などを収容するためかなりの重量となり、特に１年生から３年生までの低学年の児童にとって、重いランドセルを背負っての通学はかなりの負担である。
【０００３】
一方、ランドセルに取付ける背負いベルトは、上方に学童の肩部分が当接する背負片と、該背負片の下方に背負いベルトの長さを調節するための長さ調節片とを一体に形成してなり、この背負いベルトと、ランドセルの底面に一端を連結した短尺な下部ベルトとを着脱可能に連結して取付けてある。長さ調節は、背負ベルトの調節片に設けた任意穴と下部ベルトに取付けた係止金具の爪部を穴に挿通して行っている。
【０００４】
また、前記背負片は、硬質樹脂材または発泡樹脂材などにより形成したベルト芯材と、該ベルト芯材の下面にクッション性を有するに発泡樹脂材により形成したパッド部を接着し、該パッド部とベルト芯材を柔軟性を有する皮革材により形成した保護カバー材で覆ってなり、調節片は、薄厚で帯状に形成した発泡樹脂材からなる芯部を化粧用皮革材により形成したカバー層で覆って形成し、この調節片と前記背負片を互いに接合してベルト本体が形成され、このベルト本体の上面に、硬質皮革材により形成した表面素材を重合して縫糸で周縁部分を縫着して形成したものが知られている。
【０００５】
このランドセルを背負ったときの重量は、そのほとんどが背負いベルトの背負片の下面に集中し、内部にクッション層を設けてあっても経年変化によってクッション層が薄くなってランドセルの重量が肩部に食い込んだり、また、背負ベルトの表面に設けた表面素材は硬質皮革材により形成してあるため、ランドセルが新しいと表面素材の両側エッジ部分がランドセルを背負う学童の首筋に当たったりする。
【０００６】
特に、ランドセルを背負っての登下校時は、友達同士でふざけあったり走ったりするのでランドセルが左右に揺れて、該背負いベルトの肩当部に位置する表面素材のエッジ部分が学童の首筋や肩部と擦れて傷を負うことがある。
【０００７】
そこで、図１０に示すごとく、背負いベルトを形成する表面素材のエッジによる学童の怪我を防止するため、背負いベルト６０は、硬質皮革材により形成した帯体６４を表面に縫着して形成した織り布製背負帯体６２に、表面側帯体６５とクッション材６６と裏面側帯体６７とにより形成した袋状帯体６3を被せ、さらにこの袋状帯体６３と前記織り布製背負帯体６２を互いに縫着して形成したものが知られている（特許文献１、参照）。
【特許文献１】特開平１０−８０３１１号公報
【０００８】
さらには、図１１に示すごとく、背負いベルト７０が、内部にクッション材よりなる緩衝材７２を裏皮７３で被覆し、この裏皮７３の両端部分の端部を上面側に折り返して緩衝材７２の両側を包み込んで両側に反射帯７４の端部を挿入する基部７５を形成し、該基部に前記反射帯７４の端部を挿入して前記緩衝材７２の表面に表皮７７を接着し、該表皮と裏皮７３の両側部分を背負いベルト７０の周縁部に沿って一体に縫着して形成してある。前記反射帯８８は、背負いベルトの背負部分の両側部から外方に突出して前方及び側面方向に対して目立つように取付けられたものが知られている（特許文献２、参照）。
【特許文献２】特開平８−２２０９９５号公報
【０００９】
上記のごとく、図１０に示すランドセル用背負いベルト６０を構成する織り布製背負帯体６２は、該織り布製背負帯体の外周に裏面帯体６７と表側帯体６５からなる袋状帯体６３を被せて縫着してクッション機能を果たしているが、背負ベルトの表面に皮帯体６４が見えないので通常のランドセル用を背負いベルトとしては使用しにくい。また、背負いベルト６０の製造工程においても、布製背負帯体６２と皮帯体６４を縫製した後、さらに袋状帯体６３を被せてから織り布製背負帯体６２と縫着し、さらに袋状帯体６３の長手方向両端を鋲着するなど工程が多く非能率的である。
【００１０】
図１１に示した背負ベルト７０は、両側外方に反射帯７４を突出して設けてあるが、この反射帯７４は表皮７７の角部を保護する機能を有しておらず、ベルトの両側部分に色彩的に目立つ反射帯を設けたことによって交通事故を防止することを目的とし、学童の肩や首筋などの怪我を防止する機能を有していない。
【考案の開示】
【考案が解決しようとする課題】
【００１１】
本考案が解決しようとする課題は、低学年の学童が重いランドセルを背負って通学しても疲れにくく、また、友達同士でふざけあったり走ったりしてもランドセルの揺れで学童の首筋や肩部が傷つくことなく安全で、軽快に背負うための背負ベルトを提供すると共に、背負ベルトの製造工程において、品質が安定した歩留まりの少ない部品を使用することにより作業能率の向上とコストダウンを図ることにより品質のよい背負ベルトを提供することを目的とする。
【課題を解決するための手段】
【００１２】
上記課題を解決するため、請求項１の考案は、幅広で帯状に形成したベルト芯材１６の下面にクッション性を有するに発泡樹脂材により形成したパッド部２０を接着し、該パッド部と前記ベルト芯材１６とを柔軟な皮革素材により形成した保護カバー材２２で覆って形成した背負片１５と、薄厚で帯状に形成した発泡樹脂材からなる芯部を化粧用皮革材からなるカバー層で覆って形成した調節片３０とを互いに接合し、該調節片と前記背負片１５の上面に、硬質な皮革素材からなる帯状の表面素材２４を重合させると共に、該表面素材の周縁部分を縫着して一体に形成したランドセル用背負ベルト１３に於いて、前記ベルト芯材１６が、発泡樹脂材からなる幅広で帯状に形成した肩当部１７の両側縁に同一素材でクッション機能を有する保護部１８を一体に形成したことを特徴とする。また、ベルト芯材３６が、全体を緩やかに湾曲させた幅広で帯状に形成した肩当部３７の両側縁に、クッション機能を有する保護部３８の上端を前記肩当部３７の表面より上方に膨出させて一体に形成すると共に、該保護部の底面と前記肩当部３７の底面とを同一平面にした平坦部３９を設けて形成したことを特徴とする。さらには、ベルト芯材４６が、全体を緩やかで水平方向に湾曲させた幅広で帯状に形成した肩当部４７の両側縁に、クッション機能を有する保護部４８を該肩当部の上面より高く膨出させて一体に形成し、さらに前記肩当部４７の上面両側に凹状のネック部５０を介して肉厚な補強部４９を長手方向へ一体に形成すると共に、前記肩当部４７の底面と両側縁に設けた保護部４８の下面とを同一平面にした平坦部５１を設けて形成したことを特徴とする。さらにはまた、前記背負片１５の両側縁に形成した保護部１８、３８、４８は、該背負片の上面に重合する表面素材２４の両端外側に位置させ、該表面素材の周縁と前記背負片１５と調節片３０とを縫着して一体に形成したことを特徴とする。
【００１３】
したがって、背負ベルトの構成部品であるベルト芯材の肩当部と保護部とを一体に形成したことにより、肩当部と保護部とを接着する工程を省略することにより不良部品の発生を防止して品質の向上とコストダウンを図ることにより品質のよい背負ベルトを提供することができる。
【００１４】
請求項５の考案は、全体を緩やかで水平方向に湾曲させた幅広で帯状に形成した肩当部４７の両側縁に、該肩当部の表面より高くして断面円柱状に形成したクッション機能を有する保護部４８と、該肩当部の上面両側に設けた凹状のネック部５０を介して長手方向中央に肉厚な補強部４９をそれぞれ一体に形成し、さらに前記肩当部４７の底面と両側縁に設けた保護部４８の下面とを同一平面の平坦部５１を設けて形成した発泡樹脂材からなるベルト芯材４６の前記平坦部５１に、同じく発泡樹脂材により帯状に形成したクッション機能を有したパッド部２０を接着し、該パッド部２０と、前記ベルト芯材４６を柔軟な皮革素材からなる保護カバー材２２で覆って形成した背負片１５の下方と、背負ベルトの長さを調節する複数の穴３３を任意間隔で設けた調節片３０の上方を接着し、該調節片と前記背負片１５の保護部４８を除く上面全体に硬質な皮革素材からなる帯状の表面素材２４を重合し、該表面素材の周縁と背負片１５と調節片３０をそれぞれ縫着して一体に形成したことを特徴とするランドセル用背負いベルト。
【００１５】
したがって、背負ベルトの構成部品であるベルト芯材の肩当部と保護部を一体に形成したことにより、肩当部と保護部を接着する工程を省略することにより不良部品の発生を防止して品質の向上とコストダウンを図ることにより品質のよい背負ベルトと、ランドセルを背負っての登下校において、背負ベルトのエッジで首筋や肩部が傷つくことなく安全で、肩に負担が少なく軽快に背負うことができる。
【考案を実施するための最良の形態】
【００１６】
本考案の実施の形態を図面に基づいて説明すると、図１は本考案に係る背負いベルトを取付けたランドセルの正面図、図２は背負いベルトの平面図、図３は図２のＡ−Ａ拡大断面図、図４は背負いベルトの要部分解斜視図である。この背負いベルト１３は、ランドセルを背負ったとき肩に当たる幅広な背負片１５と、背負いベルトの長さを調節する細幅の調節片３０とを接着し、該調節片と前記背負片１５の上面に硬質な皮革疎材からなる表面素材２４を縫着して一体に形成してある。
【００１７】
前記背負いベルト１３のランドセル１０への取付けは、背板１１の上部中央に取付けた背環１２に、前記背負片１５の上端を連結し、他端をランドセル１０の底面に連結した下部ベルト４１と長さ調整可能に連結してある。背負いベルト１３の長さ調整は、調節片３０に適宜間隔に設けた複数の穴３３と、下部ベルト４１の端部に設けた係止金具４２の爪部４３を、前記背負いベルト１３の調節片３０に設けたいずれかの穴３３に係止して背負いベルト１３の長さを調整できるようにしてある。
【００１８】
前記背負いベルト１３の背負片１５は、発泡樹脂材、例えばポリウレタンまたはポリエチレンなどにより形成したベルト芯材１６、３６、４６と、該ベルト芯材の下面に取付けるクッション機能を有する、例えば、スポンジ材で形成したパッド部２０と、該パッド部と前記ベルト芯材１６、３６、４６を覆う柔軟な皮革素材、例えば天然皮革、または合成皮革などからなる保護カバー材２２とにより構成されている。
【００１９】
前記ベルト芯材の第１実施例として図３、４に示す第１ベルト芯材１６は、肩幅に合わせて長手方向全体をやや湾曲させて形成した肩当部１７の両側縁に同一素材でクッション機能を有する断面円柱状に形成した保護部１８を一体に形成してある。この保護部１８の形状は、前記肩当部１７の上面より上方に膨出した形状であれば円柱状に限らず角柱状または三角柱状でもよい。
【００２０】
従来のベルト芯材は前述のとおり、肩当部と保護部とがそれぞれ別体に形成されており、接着剤で肩当部と保護部を接着する工程が必要であった。この接着工程において、肩当部と保護部との接着部分が細く長いため均一に接着することが困難で製品の均一化が容易でなく作業能率が悪かった。そこで本考案は、ベルト芯材１６を構成する肩当部１７と保護部１８とを一体に形成したことにより、前記接着工程を不要にして製品の均一化（品質の安定）と生産性の向上を図り、且つまた、接着剤を不要としたことにより製品の軽量化とコストダウンを図ることができる。
【００２１】
前記ベルト芯材の第２実施例として、図５、６に示すごとく、第２ベルト芯材３６は、肩幅に合わせて長手方向全体を水平方向にやや湾曲して形成した肩当部３７の両側縁にクッション機能を有する保護部３８を前記肩当部３７の表面から上方に膨出させて一体に形成すると共に、前記肩当部３７の底面と、両側縁部に設けた保護部３８の下面とを同一平面に形成した平坦部３９を設けてある。この第２ベルト芯材３６の底面に平坦部３９を設けたことにより加工が容易で安定した製品の生産が可能である。
【００２２】
さらにベルト芯材の第３実施例として、図７、８に示すごとく、第３ベルト芯材４６は、肩幅に合わせて長手方向全体を水平方向にやや湾曲させて形成した幅広で扁平に形成した肩当部４７の両側縁にクッション機能を有する保護部４８を前記肩当部３７の表面から上方に膨出させて一体に形成すると共に、上面長手方向へ肉厚に形成した補強部４９を一体に形成し、該補強部と前記保護部との境に凹んだネック部５０を形成し、前記肩当部４７の底面と両側縁部に設けた保護部４８の下面とを同一平面にした平坦部５１を設けてある。
【００２３】
この第３ベルト芯材４６は、肩当部４７の上面に肉厚な補強部４９を一体に形成したことにより、背負ベルトを構成する背負片の経年変化による型崩れを防止でき、また、底面を同一平面の平坦部５１を設けたことにより加工が容易で安定した製品の製造が可能である。
【００２４】
前記パッド部２０は、クッション機能を有する発泡樹脂材、例えばポリウレタンまたはポリエチレンなどにより形成したスポンジの上面を平坦に形成し、下面をなだらかな円弧状に形成し、前記ベルト芯材１６、３６、４６の肩当部１７、３７、４７と相似形の帯状に形成してある。
【００２５】
前記保護カバー材２２は、柔軟な皮革素材、例えば天然皮革、または合成皮革などからなり、幅方向の両側に縫糸２５で縫着するためののりしろ部２３を形成し、この保護カバー材２２は、前記ベルト芯材１６、３６の下面に接着したパッド部２０の下側からベルト芯材の両側面の保護部１８、３８を覆ってから上面側に折り返し、肩当部１７、３７の上面にのりしろ部２３が位置する大きさに形成してある。第３ベルト芯材４６に使用する保護カバー材２２は、該保護カバー材ののりしろ部２３が肩当部４７の上面で補強部４９の傾斜面４９ａまで覆う大きさに形成してある。
【００２６】
２４は硬質な合成皮革または天然皮革などにより帯状に形成した表面素材で、全体形状を前記背負片１５と調節片３０とを接合した形状と相似形に形成してある。この表面素材２４は、各保護部１８、３８、４８を除く接合した背負片１５と調節片３０の表面に重合し、この表面素材２４の周縁部分に沿って背負片１５と調節片３０とを縫糸２６で縫着して一体に形成してある。
【００２７】
前記調節片３０は、図2に示すごとく、薄厚で帯状に形成した発泡樹脂材からなる芯部（図示せず）を軟質な化粧用皮革材により形成したカバー材３２で覆い、中央軸心方向には適宜間隔で複数の穴３３を設け、該調節片の上端を前記背負片１５の下端と接着して一体に形成してある。
【００２８】
以下本考案の実施例の作用について説明すると、第１ベルト芯材１６を使用して背負ベルト１３を形成する場合、第１ベルト芯材１６の中央に設けた肩当部１７の下面にクッション機能を有したパッド部２０を接着し、次いで、パッド部２０と第１ベルト芯材１６とを柔軟な皮革素材で形成した保護カバー材２２で包み込み、該保護カバー材ののりしろ部２３を肩当部１７の表面に折り返して位置させる。さらに、保護部１８を除く背負片１５の上面と調節片３０の上面に硬質な皮革素材により形成した表面素材２４を接着し、該表面素材の周縁と背負片１５と調節片３０とを縫着して一体に形成する。第１ベルト芯材１６の保護部１８が、表面素材２４の外側縁に位置して表面素材２４のエッジ部分をカバーして保護するので、表面素材２４のエッジ部分が首筋に当って痛みを発生させたり、傷をつけたりするおそれがない。
【００２９】
第２ベルト芯材３６を使用して背負ベルト１３を形成する場合、第２ベルト芯材３６の下面に、クッション機能を有したパッド部２０を接着し、次いで、第２ベルト芯材３６とパッド部２０とを、柔軟な皮革素材により形成した保護カバー材２２で包み込み、該保護カバー材ののりしろ部２３を肩当部３７の表面に折り返して背負片１５を形成し、該背負片の下端と調節片の上端を接着して一体に形成する。
【００３０】
さらに、一体に形成した背負片１５と調節片の上面で、背負片１５の保護部３８を除く背負片１５の上面と調節片３０の上面に硬質な皮革素材により形成した表面素材２４を接着し、該表面素材の周縁と背負片１５と調節片３０とを縫着して一体に形成する。この第２ベルト芯材３６の保護部３８が、表面素材２４の外側縁に膨出することにより表面素材２４のエッジ部分を保護するので、表面素材２４のエッジ部分が首筋に当って痛みを発生させたり、傷をつけたりするおそれがない。
【００３１】
第３ベルト芯材４６を使用して形成した背負ベルト１３は、第３ベルト芯材４６の下面に平坦部５１を設けてあるため、クッション機能を有したパッド部２０の接着作業が容易で作業の能率化を図ることができる。次いで、前記パッド部２０と第３ベルト芯材４６とを柔軟な皮革素材により形成した保護カバー材２２で包み込んで、該保護カバー材ののりしろ部２３を上方に折り返して肩当部４７の上面に設けた補強部４９の傾斜面４９ａに位置させて背負片１５を形成する。この背負片１５の下端と前記調節片３０の上端とを接着して一体に形成する。のりしろ部２３を傾斜面４９ａに位置させて形成したことにより、背負ベルトが経年変化で劣化しても保護カバー材２２が破れるおそれがない。
【００３２】
さらに、保護部４８を除く背負片１５の上面と調節片３０の上面に硬質な皮革素材により形成した表面素材２４を接着し、該表面素材の周縁で背負片１５の周縁第３ベルト芯材４６のネック部５０とを縫着して形成することにより、表面素材２４のエッジ部分が背負片の外側縁に膨出した保護部４８によって保護されるので、該エッジ部分で学童の首筋や身体を傷をつけたりするおそれがない。また、第３ベルト芯材４６の肩当部４７上面に補強部４９を設けたことにより、背負片１５が折れたり型崩れするのを防止することができる
【００３３】
前記第１、２、３ベルト芯材１６、３６、４６は、それぞれ保護部１８、３８、４８を肩当部１７、３７、４７の両側に一体に形成したことにより、ベルト芯材の製造工程における肩当部と保護部とを接着する工程を省略できるので、製品の歩留まりが減少し、且つ、背負ベルトの軽量化と作業工程の向上を図ることができ安価で経済的な背負ベルトを提供することができる。
【図面の簡単な説明】
【００３４】
【図１】ランドセルに背負いベルトを取付けた使用状態を示す正面図である。
【図２】本考案にかかる背負いベルトの平面図である。
【図３】図２のＡ−Ａ拡大端面図である。
【図４】図２に示した背負いベルトの一部破断した分解斜視図である。
【図５】第２ベルト芯材の平面図である。
【図６】図５のＢ―Ｂ拡大断面図である。
【図７】第３ベルト芯材の平面図である。
【図８】図７のＣ―Ｃ拡大断面図である。
【図９】第３ベルト芯材を使用した背負片の断面図である。
【図１０】従来の背負いベルトの中央横断面図である。
【図１１】他の従来の背負いベルトの中央横断面図である。
【符号の説明】
【００３５】
１０      ランドセル
１３      背負いベルト
１５      背負片
１６      第1ベルト芯材
１７      肩当部
１８      保護部
２０      パッド部
２２      保護カバー材
２４      表面素材
２５      縫糸
３０      調節片
３３      穴
３６      第２ベルト芯材
３７      肩当部
３８      保護部
３９      平坦部
４６      第３ベルト芯材
４７      肩当部
４８      保護部
４９      補強部
５０      平坦部
５１      平坦部
【図１】
0003138960.tif 000003
【図２】
0003138960.tif 000004
【図３】
0003138960.tif 000005
【図４】
0003138960.tif 000006
【図５】
0003138960.tif 000007
【図６】
0003138960.tif 000008
【図７】
0003138960.tif 000009
【図８】
0003138960.tif 000010
【図９】
0003138960.tif 000011
【図１０】
0003138960.tif 000012
【図１１】
0003138960.tif 000013